(57)【特許請求の範囲】
【請求項１】
第１の情報記録媒体に対して情報を記録するとともに、この第１の情報記録媒体に記録された情報を再生する第１の記録再生手段と、
第２の情報記録媒体に対して情報を記録するとともに、この第２の情報記録媒体に記録された情報を再生する第２の記録再生手段と、
前記第１及び第２の記録再生手段による記録再生の動作状態、前記第１及び第２の情報記録媒体に対する記録レート、及び前記第１及び第２の情報記録媒体から再生される音量レベルを表示する第１の表示手段と、
前記第１の表示手段により表示される記録レートの表示に重ねてタイトル及びチャプターを表示するとともに、音量レベルの表示に重ねて記録再生時間を表示する第２の表示手段と、
を備えたことを特徴とする記録再生装置。
【請求項２】
第１の情報記録媒体に対して情報を記録するとともに、この第１の情報記録媒体に記録された情報を再生する第１の記録再生手段と、
第２の情報記録媒体に対して情報を記録するとともに、この第２の情報記録媒体に記録された情報を再生する第２の記録再生手段と、
前記第１及び第２の記録再生手段による記録再生の動作状態、前記第１及び第２の情報記録媒体に対する記録レート、及び前記第１及び第２の情報記録媒体から再生される音量レベルを表示する第１の表示手段と、
前記第１の情報記録媒体をイメージした第１のイメージディスクを表示し、前記第１の情報記録媒体に対して情報が記録されるときには、前記第１のイメージディスクの外周に沿って配置された第１の色に発光する複数のセグメントを順次発光させて前記第１の情報記録媒体に情報が記録されるイメージを表示し、前記第１の情報記録媒体から情報が再生されるときには、前記第１のイメージディスクの外周に沿って配置された第２の色に発光する複数のセグメントを順次発光させて前記第１の情報記録媒体から情報が再生されるイメージを表示して、前記第１の記録再生手段による記録再生の動作状態を表示する第１の動作状態表示手段と、
前記第２の情報記録媒体をイメージした第２のイメージディスクを表示し、前記第２の情報記録媒体に対して情報が記録されるときには、前記第２のイメージディスクの外周に沿って配置された第１の色に発光する複数のセグメントを順次発光させて前記第２の情報記録媒体に情報が記録されるイメージを表示し、前記第２の情報記録媒体から情報が再生されるときには、前記第２のイメージディスクの外周に沿って配置された第２の色に発光する複数のセグメントを順次発光させて前記第２の情報記録媒体から情報が再生されるイメージを表示して、前記第２の記録再生手段による記録再生の動作状態を表示する第２の動作状態表示手段と、
を備えたことを特徴とする記録再生装置。
【請求項３】
第１の情報記録媒体に対して情報を記録するとともに、この第１の情報記録媒体に記録された情報を再生する第１の記録再生手段と、
第２の情報記録媒体に対して情報を記録するとともに、この第２の情報記録媒体に記録された情報を再生する第２の記録再生手段と、
前記第１及び第２の記録再生手段による記録再生の動作状態、前記第１及び第２の情報記録媒体に対する記録レート、及び前記第１及び第２の情報記録媒体から再生される音量レベルを表示する第１の表示手段と、
前記第１の情報記録媒体をイメージした第１のイメージディスクを表示し、前記第１の情報記録媒体に対して情報が記録されるときには、前記第１のイメージディスクの外周に沿って配置された第１の色に発光する複数のセグメントからなる第１のセグメント群を順次発光させて前記第１の情報記録媒体に情報が記録されるイメージを表示し、前記第１の情報記録媒体から情報が再生されるときには、前記第１のイメージディスクの外周に沿って配置された第２の色に発光する複数のセグメントからなる第２のセグメント群を順次発光させて前記第１の情報記録媒体から情報が再生されるイメージを表示し、前記第１の情報記録媒体に対して情報が記録されるとともにこの第１の情報記録媒体から情報が再生されるときには、前記第１のセグメント群を順次発光させるとともに前記第２のセグメント群を順次発光させて前記第１の情報記録媒体に情報が記録されつつ前記第１の情報記録媒体から情報が再生されるイメージを表示して、前記第１の記録再生手段による記録再生の動作状態を表示する第１の動作状態表示手段と、
前記第２の情報記録媒体をイメージした第２のイメージディスクを表示し、前記第２の情報記録媒体に対して情報が記録されるときには、前記第２のイメージディスクの外周に沿って配置された第１の色に発光する複数のセグメントからなる第３のセグメント群を順次発光させて前記第２の情報記録媒体に情報が記録されるイメージを表示し、前記第２の情報記録媒体から情報が再生されるときには、前記第２のイメージディスクの外周に沿って配置された第２の色に発光する複数のセグメントからなる第４のセグメント群を順次発光させて前記第２の情報記録媒体から情報が再生されるイメージを表示し、前記第２の情報記録媒体に対して情報が記録されるとともにこの第２の情報記録媒体から情報が再生されるときには、前記第３のセグメント群を順次発光させるとともに前記第４のセグメント群を順次発光させて前記第２の情報記録媒体に情報が記録されつつ前記第２の情報記録媒体から情報が再生されるイメージを表示して、前記第２の記録再生手段による記録再生の動作状態を表示する第２の動作状態表示手段と、
を備えたことを特徴とする記録再生装置。
【請求項４】
前記第１の情報記録媒体に対する記録再生に伴い、前記第１及び第２のセグメント群を順次発光させるとき、前記第１及び第２のセグメント群に含まれるセグメントのうち、前記第１のディスクイメージを挟んで対称的な位置のセグメントを順次発光させる第１のセグメント発光制御手段と、
前記第２の情報記録媒体に対する記録再生に伴い、前記第３及び第４のセグメント群を順次発光させるとき、前記第３及び第４のセグメント群に含まれるセグメントのうち、前記第２のディスクイメージを挟んで対称的な位置のセグメントを順次発光させる第２のセグメント発光制御手段と、
を備えたことを特徴とする請求項３に記載の記録再生装置。
【請求項５】
第１の情報記録媒体に対して情報を記録するとともに、この第１の情報記録媒体に記録された情報を再生する第１の記録再生手段と、
第２の情報記録媒体に対して情報を記録するとともに、この第２の情報記録媒体に記録された情報を再生する第２の記録再生手段と、
前記第１及び第２の記録再生手段による記録再生の動作状態、前記第１及び第２の情報記録媒体に対する記録レート、及び前記第１及び第２の情報記録媒体から再生される音量レベルを表示する第１の表示手段と、
複数のセグメントにより前記第１の記録媒体及びこの第１の記録媒体の残量をイメージして表示する第１の残量表示手段と、
複数のセグメントにより前記第２の記録媒体及びこの第２の記録媒体の残量をイメージして表示する第２の残量表示手段と、
を備えたことを特徴とする記録再生装置。
【請求項６】
第１の情報記録媒体に対して情報を記録するとともに、この第１の情報記録媒体に記録された情報を再生する第１の記録再生手段と、
第２の情報記録媒体に対して情報を記録するとともに、この第２の情報記録媒体に記録された情報を再生する第２の記録再生手段と、
前記第１及び第２の記録再生手段による記録再生の動作状態、前記第１及び第２の情報記録媒体に対する記録レート、及び前記第１及び第２の情報記録媒体から再生される音量レベルを表示する第１の表示手段と、
複数のセグメントにより前記第１の記録媒体及びこの第１の記録媒体の残量をイメージして表示するとともに、この第１の記録媒体の残量を数値で表示する第１の残量表示手段と、
複数のセグメントにより前記第２の記録媒体及びこの第２の記録媒体の残量をイメージして表示するとともに、この第２の記録媒体の残量を数値で表示する第２の残量表示手段と、
を備えたことを特徴とする記録再生装置。
【請求項７】
第１の情報記録媒体に対して情報を記録するとともに、この第１の情報記録媒体に記録された情報を再生する第１の記録再生手段と、
第２の情報記録媒体に対して情報を記録するとともに、この第２の情報記録媒体に記録された情報を再生する第２の記録再生手段と、
前記第１及び第２の記録再生手段による記録再生の動作状態、前記第１及び第２の情報記録媒体に対する記録レート、及び前記第１及び第２の情報記録媒体から再生される音量レベルを表示する第１の表示手段と、
前記第１の情報記録媒体に対する所望情報の予約記録が指示されたときであって、前記第１の情報記録媒体に対して前記所望情報が記録不可であり、且つ前記第２の情報記録媒体に対して前記所望情報が記録可能な場合には、前記第１の情報記録媒体に対して記録不可であること、及び前記第２の情報記録媒体に対して記録可能であることをイメージして表示する第１の記録対象表示手段と、
前記第２の情報記録媒体に対する所望情報の予約記録が指示されたときであって、前記第２の情報記録媒体に対して前記所望情報が記録不可であり、且つ前記第１の情報記録媒体に対して前記所望情報が記録可能な場合には、前記第２の情報記録媒体に対して記録不可であること、及び前記第１の情報記録媒体に対して記録可能であることをイメージして表示する第２の記録対象表示手段と、
を備えたことを特徴とする記録再生装置。
【発明の詳細な説明】
【０００１】
【発明の属する技術分野】
この発明は、ＤＶＤ（Digital versatile Disc）及びＨＤ（Hard Disk）等の媒体に対して情報を記録したり、これら媒体に記録された情報を再生したりする記録再生装置に関する。
【０００２】
【従来の技術】
近年、ＤＶＤに関する研究開発及び製品化が急速に進められている。ＤＶＤ規格では、国際規格化されたＭＰＥＧ２（Moving Image Coding Expert Group ）方式及びＡＣ３オーディオ圧縮方式をサポートしている。さらに、ＤＶＤ規格では、ＩＳ０９６６０とマイクロＵＤＦの規格をサポートし、コンピュータによりデータを読み出すこともできる。
【０００３】
ＤＶＤ規格には、大きく分類して、ＤＶＤ−ＲＯＭ規格及びＤＶＤ−ＲＡＭ規格（４．７ＧＢ）がある。ＤＶＤ−ＲＡＭを記録媒体としてリアルタイムで情報記録再生が可能なシステムを実現するＲＴＲ（Real Time Recording）−ＤＶＤ規格が完成している。このＲＴＲ−ＤＶＤ規格は、既に発売されているＤＶＤビデオ規格を元に考えられている。さらに、そのＲＴＲ−ＤＶＤ規格に対応したファイルシステムも現在規格化されている。
【０００４】
大容量記憶媒体には、上記したＤＶＤの他に、ＨＤが知られている。近年、ＨＤＤ（Hard Disk Drive）により映像を録画再生する録画再生装置も登場し始めている。
【０００５】
【発明が解決しようとする課題】
上記したＤＶＤ又はＨＤを記録媒体とするディジタル記録機器では、特定のディジタル記録媒体だけでなく、容易に複数種類の記録媒体に対応させることができる。ディジタル方式では、異なる媒体間でも特別なデータの変換処理が必要ないからである。このような特性を生かして、ＤＶＤ及びＨＤの両媒体に対応した記録再生装置に関する研究開発が進められている。このような記録再生装置では、両媒体の特徴を生かした記録及び再生処理、例えばＴＶ番組のタイムシフト機能が容易に実現できるようになった。ＴＶ番組のタイムシフト機能とは、あるＴＶ番組を録画しつつ、既に録画されたＴＶ番組を再生する機能である。
【０００６】
しかし、上記したように複数の記録媒体に対応した記録再生装置の場合、どの媒体に情報が記録されているのか、どの媒体から情報が再生されているのか等の情報を分かり易くユーザーに伝達するのが困難とされていた。
【０００７】
この発明の目的は、上記したような事情に鑑み成されたものであって、複数の記録媒体に対する処理をユーザーに対して明確に伝えることが可能な記録再生装置を提供することにある。
【０００８】
【課題を解決するための手段】
上記課題を解決し目的を達成するために、この発明の記録再生装置は、以下のように構成されている。
【０００９】
（１）この発明の記録再生装置は、第１の情報記録媒体（ＤＶＤを想定）に対して情報を記録するとともに、この第１の情報記録媒体に記録された情報を再生する第１の記録再生手段（ＤＶＤドライブを想定）と、第２の情報記録媒体（ハードディスクを想定）に対して情報を記録するとともに、この第２の情報記録媒体に記録された情報を再生する第２の記録再生手段（ハードディスクドライブを想定）と、前記第１及び第２の記録再生手段による記録再生の動作状態、前記第１及び第２の情報記録媒体に対する記録レート、及び前記第１及び第２の情報記録媒体から再生される音量レベルを表示する第１の表示手段とを備えている。
【００１０】
（２）この発明の記録再生装置は、第１の情報記録媒体（ＤＶＤを想定）に対して情報を記録するとともに、この第１の情報記録媒体に記録された情報を再生する第１の記録再生手段（ＤＶＤドライブを想定）と、第２の情報記録媒体（ハードディスクを想定）に対して情報を記録するとともに、この第２の情報記録媒体に記録された情報を再生する第２の記録再生手段（ハードディスクドライブを想定）と、前記第１及び第２の記録再生手段による記録再生の動作状態、前記第１及び第２の情報記録媒体に対する記録レート、及び前記第１及び第２の情報記録媒体から再生される音量レベルを表示する第１の表示手段と、前記第１の表示手段により表示される記録レートの表示に重ねてタイトル及びチャプターを表示するとともに、音量レベルの表示に重ねて記録再生時間を表示する第２の表示手段とを備えている。
【００１１】
（３）この発明の記録再生装置は、第１の情報記録媒体（ＤＶＤを想定）に対して情報を記録するとともに、この第１の情報記録媒体に記録された情報を再生する第１の記録再生手段（ＤＶＤドライブを想定）と、第２の情報記録媒体（ハードディスクを想定）に対して情報を記録するとともに、この第２の情報記録媒体に記録された情報を再生する第２の記録再生手段（ハードディスクドライブを想定）と、前記第１及び第２の記録再生手段による記録再生の動作状態、前記第１及び第２の情報記録媒体に対する記録レート、及び前記第１及び第２の情報記録媒体から再生される音量レベルを表示する第１の表示手段と、前記第１の情報記録媒体をイメージした第１のイメージ媒体を表示し、前記第１の情報記録媒体に対して情報が記録されるときには、前記第１のイメージ媒体に情報が記録されるイメージを表示し、前記第１の情報記録媒体から情報が再生されるときには、前記第１のイメージ媒体から情報が再生されるイメージを表示して、前記第１の記録再生手段による記録再生の動作状態を表示する第１の動作状態表示手段と、前記第２の情報記録媒体をイメージした第２のイメージ媒体を表示し、前記第２の情報記録媒体に対して情報が記録されるときには、前記第２のイメージ媒体に情報が記録されるイメージを表示し、前記第２の情報記録媒体から情報が再生されるときには、前記第２のイメージ媒体から情報が再生されるイメージを表示して、前記第２の記録再生手段による記録再生の動作状態を表示する第２の動作状態表示手段とを備えている。
【００１２】
【発明の実施の形態】
以下、この発明の実施の形態について図面を参照して説明する。
【００１３】
図１は、この発明の記録再生装置の一例を示すブロック図である。図１の各ブロックを大きく分けると、左側には記録部の主なブロックを示し、右側には再生部の主なブロックを示している。この図１の各部のブロックについては後で詳しく説明する。
【００１４】
図２は、ＤＶＤシステムのディレクトリー構造の一部を示す図である。図２は、ＤＶＤシステムの特にリアルタイムレコーディング（ＲＴＲ）ＤＶＤのディレクトリー構造とＤＶＤオーディオファイルのディレクトリー構造について示している。
【００１５】
ＤＶＤでは、規格毎にディレクトリーが存在し、これらのディレクトリー名を、ＤＶＤ−ビデオでは、「ＶＩＤＥＯ_ＴＳ」、ＤＶＤ−オーディオでは、「ＡＵＤＩＯ_ＴＳ」、ＲＴＲ−ＤＶＤでは、「ＤＶＤ_ＲＴＡＶ」としている。図２では、「ＤＶＤ_ＲＴＡＶ」、「ＡＵＤＩＯ_ＴＳ」が示されている。記録データは、各ディレクトリー内に存在する。
【００１６】
また、ＤＶＤでは、通常のファイル形式でデータが保存される。タイトルは、例えば映画の１本分に相当し、１枚のディスクに複数のタイトルが記録可能である。そしてタイトルが集まったものをタイトルセットと呼び、このタイトルセットは、複数のファイルで構成されることになる。
【００１７】
上記のＤＶＤ−ビデオでは、１枚のディスクに、このディスクの情報を管理するための情報が記録されている。この管理情報はファイルとして記録され、ビデオマネージャー（ＶＭＧ）と称する。
【００１８】
さらにこのＤＶＤ−ビデオのタイトルセット（ＶＴＳ）は、このタイトルセットを管理するためのビデオタイトルセット情報（ＶＴＳＩ）が設けられ、このＶＴＳＩと、ビデオデータで構成されるビデオファイルと、さらにＶＴＳＩのバックアップとで構成されている。
【００１９】
一方、ＲＴＲ−ＤＶＤでは、前記ＶＭＧ（ディスクの情報を管理するための情報）とＶＴＳＩ（タイトルセットを管理するための情報）とが、一体化され、新たなビデオマネージャー情報（ＶＭＧＩ）として定義されている。
【００２０】
ディレクトリー「ＤＶＤ_ＲＴＡＶ」内には、ビデオマネージャー（ＶＭＧ）ファイルとしてのＶＲ_ＭＡＮＧＲ．ＩＦＯ、ムービービデオファイルとしてのＶＲ_ＭＯＶＩＥ．ＶＲＯ、スチルピクチャービデオファイルとしてのＶＲ_ＳＴＩＬＬ．ＶＲＯ、スチルピクチャーオーディオファイルとしてのＶＲ_ＡＵＤＩＯ．ＶＲＯ、ビデオマネージャーのバックアップとしてのＶＲ_ＭＡＮＡＧＲ．ＢＵＰの各ファイルが存在する。
【００２１】
また、ディレクトリー「ＡＵＤＩＯ_ＴＳ」内には、オーディオマネージャー情報（ＡＭＧＩ）ファイルとしてのＡＵＤＩＯ_ＴＳ．ＩＦＯ、オーディオマネージャー情報（ＡＭＧＩ）バックアップファイルとしてのＡＵＤＩＯ_ＴＳ．ＢＵＰ、オーディオタイトルセット情報（ＡＴＳＩ）ファイルとしてのＡＴＳ_０１_０．ＩＦＯ、オーディオタイトルセット（ＡＴＳ）オーディオオブジェクトファイルとしてのＡＴＳ_０１_１．ＡＯＢが存在する。
【００２２】
ＶＲ_ＭＡＮＧＲ．ＩＦＯファイルには、ナビゲーションデータが記録されるもので、このナビゲーションデータは、プログラムセット、プログラム、エントリーポイント、プレイリストなどを進行させるためのデータである。
【００２３】
ＶＲ_ＭＯＶＩＥ．ＶＲＯファイルは、ムービービデオオブジェクト（ムービーＶＯＢ）を記録するためのいわゆるムービーＡＶファイルである。
【００２４】
ＶＲ_ＳＴＩＬＬ．ＶＲＯは、スチルピクチャーＶＯＢを記録するためのスチルピクチャーＡＶファイルである。
【００２５】
またＶＲ_ＡＵＤＩＯ．ＶＲＯは、スチルピクチャーに対する付加オーディオストリームを記録するためのスチルピクチャー付加オーディオファイルである。
【００２６】
ＶＲ_ＭＯＶＩＥ．ＶＲＯは、任意のサブピクチャーユニットを含むビデオパートで構成されるオリジナルＶＯＢを記録するために用いられる。またこのとき、ビデオパートに関連したオーディオパートもオリジナルＶＯＢに含まる。
【００２７】
ＶＲ_ＡＵＤＩＯ．ＶＲＯは、付加オーディオパートを記録するために用いられるファイルであり、この付加オーディオパートは、アフターレコーディングにより記録されたオーディオストリームを示す。ＶＲ_ＡＵＤＩＯ．ＶＲＯに記録されたオーディオパートは、ＶＲ_ＳＴＩＬＬ．ＶＲＯに記録された幾つかのビデオパートとの組み合せで使用される。
【００２８】
ＶＲ_ＭＡＮＧＲ．ＢＵＰは、ＶＲ_ＭＡＮＧＲ．ＩＦＯのバックアップファイルである。
【００２９】
図３（Ａ）は、上記のムービービデオファイルとしてのＶＲ_ＭＯＶＩＥ．ＶＲＯのファイル構造を示している。
【００３０】
ビデオファイルは、階層構造であり、１つのファイルは、複数のＶＯＢ（ビデオオブジェクト）で構成され、１つのＶＯＢは、複数のＶＯＢＵ（ビデオオブジェクトユニット）で構成され、１つのＶＯＢＵは、複数パックから構成される。複数のパックとしては、ＲＤＩパック、Ｖパック、Ａパック等が存在する。
【００３１】
Ｖパックは、ビデオデータがＭＰＥＧ２の方式で圧縮されたもので、パックヘッダ、パケットヘッダ、ビデオデータ部で構成される。Ａパックは、オーディオデータが、例えばリニアＰＣＭあるいはＭＰＥＧ、あるいはＡＣ３などの方式で処理されたものであり、パックヘッダ、パケットヘッダ、オーディオデータ部で構成される。
【００３２】
図３（Ｂ）は、Ｖパックとの関係によるＭＰＥＧ２方式に基くビデオデータのフォーマットを示している。
【００３３】
グループオブピクチャー（ＧＯＰ）は、複数のビデオフレームが用いられて圧縮された単位であり、その先頭にはシーケンスヘッダが付加されている。シーケンスヘッダには、シーケンスヘッダの開始コード（ＳＨＣ）、画素の縦のライン数（ＨＳ），画素の横のライン数（ＶＳ），アスペクト比（ＰＡＲ）などが記述されている。
【００３４】
図４に示すＲＤＩパックはリアルタイムデータインフォーメーションパック（ＲＤＩ_ＰＣＫ）と称されるもので、リアルタイムジェネラル情報（ＲＤＩ_ＧＩ）、ディスプレイコントロール及びコピーコントロール情報（ＤＣＩ_ＣＣＩ）、製造者情報（ＭＮＦＩ）などを含む。
【００３５】
リアルタイムジェネラル情報（ＲＤＩ_ＧＩ）は、これが属するＶＯＢＵの最初のフィールドが再生される開始時間を示す情報、つまりＶＯＢＵ_Ｓ_ＰＴＭと、当該ＶＯＢＵの記録時を示す情報、つまりＶＯＢＵ_ＲＥＣ_ＴＭとを含む。
【００３６】
ディスプレイコントロール及びコピーコントロール情報（ＤＣＩ_ＣＣＩ）は、ディスプレイコントロール情報（ＤＣＩ）及びコピーコントロール情報（ＣＣＩ）のステータスを示す（ＤＣＩ_ＣＣＩ_ＳＳ）と、ディスプレイコントロール情報（ＤＣＩ）自身と、コピーコントロール情報（ＣＣＩ）自身を含む。
【００３７】
（ＤＣＩ_ＣＣＩ_ＳＳ）のうちディスプレイコントロール情報ステータス（ＤＣＩ_ＳＳ）は、第1のエリアであり、有効なアスペクト比情報のみが存在する場合（０１ｂ）、有効なアスペクト比、サブタイトルモード、フィルムカメラモードが存在する場合（１１ｂ）を識別している。
【００３８】
ディスプレイコントロール情報（ＤＣＩ）は、アスペクト比情報、サブタイトルモード情報、フィルムカメラモードを含む。
【００３９】
アスペクト比情報は、アスペクト比が４：３の場合（０００ｂ）、アスペクト比が１６：９の場合（０００１ｂ）を示している。更にソースピクチャーがレターボックスの場合、１０００ｂ（レターボックス（１４：９）であるがスクリーンセンター配置）、０１００ｂ（レターボックス（１４：９）であるがスクリーントップ配置）、１１０１ｂ（レターボックス（１６：９）であるがスクリーンセンター配置）、００１０ｂ（レターボックス（１６：９）であるがスクリーントップ配置）、１０１０ｂ（レターボックス（＞１６：９）であるがスクリーンセンター配置）、０１１１ｂ（１４：９フルフォーマットでセンター配置）を識別している。
【００４０】
サブタイトルモードは、サブタイトルが開かない（００ｂ）、サブタイトルがアクティブイメージエリア内にある（０１ｂ）、サブタイトルがアクティブイメージエリアの外にある（１０ｂ）を識別している。
【００４１】
フィルムカメラモードは、カメラモード（０ｂ）、フィルムモード（１ｂ）を識別している。
【００４２】
ビデオファイルに記録されたデータ再生順序は、プログラムチェーン（ＰＧＣ）で定義されている。このプログラムチェーン（ＰＧＣ）には、セル（Ｃｅｌｌ）が定義され、さらにセル（Ｃｅｌｌ）には、再生すべき対象となるＶＯＢが定義されている。このＰＧＣの具体的情報を記録してある部分がＶＭＧファイルの中のプログラムチェーン情報（ＰＧＣＩ）部分である。ＰＧＣＩには、２種類が存在し、１つはオリジナルＰＧＣＩ（ＯＲＧ_ＰＧＣＩ）、もう１つはユーザーディファインドＰＧＣテーブル（ＵＤ_ＰＧＣＩＴ）である。
【００４３】
ここで、上記プログラムチェーン情報が記述されているビデオマネージャーファイル（ＶＭＧ）の構成について説明する。
【００４４】
図５にはＶＭＧファイルに記述されている情報を階層的に示し、特にプログラムチェーン情報（ＰＧＣＩ）を階層的に詳しく示している。
【００４５】
ＶＭＧファイル内には、ＲＴＲ_ＶＭＧＩ（ＲＴＲビデオマネージャー情報）、Ｍ_ＡＶＦＩＴ（ムービーＡＶファイル情報テーブル）、Ｓ_ＡＶＦＩＴ（スチルピクチャーＡＶファイル情報テーブル）、ＯＲＧ_ＰＧＣＩ（オリジナルプログラムチェーン情報）、ＵＤ_ＰＧＣＩＴ（ユーザー定義プログラムチェーン情報）、ＴＸＴＤＴ_ＭＧ（テキストデータマネージャー）、ＭＮＦＩＴ（マニュファクチャー情報テーブル）がある。
【００４６】
ＯＲＧ_ＰＧＣＩ（オリジナルプログラムチェーン情報）は、記録順にデータを再生するための特別なＰＧＣである。つまりこのＰＧＣは、データの再生順序を指定する情報であり、プログラムのつながりであるプログラムセットを示している。このプログラムセットは、ＶＲＯファイルに格納されているデータである。
【００４７】
ＵＤ_ＰＧＣＩＴ（ユーザー定義プログラムチェーン情報）もデータの再生順序を指定するであるが、ユーザーのプログラム編集などにより、上記ＯＲＧ_ＰＧＣＩにより指定されているプログラムの中の部分的な指定を行いその部分部分をつなげている。したがって、ＵＤ_ＰＧＣＩＴは、まとまったプログラムのつながりではなく、Ｃｅｌｌ（セル）のつながりを示している。セルとは、プログラムの各部分を示す情報である。
【００４８】
ＯＲＧ_ＰＧＣＩ（オリジナルプログラムチェーン情報）、ＵＤ_ＰＧＣＩＴ（ユーザー定義プログラムチェーン情報）も内容的に同様なデータ構造である。
【００４９】
ＰＧＣＩは、ＰＧＣ一般情報（ＰＧＣ_ＧＩ）、ＰＧＣ情報テーブル（ＰＧＣＩＴ）、セル情報サーチポインタ（ＣＩ_ＳＲＰＴ）、セル情報テーブル（ＣＩＴ）で構成される。
【００５０】
ＰＧＣ一般情報（ＰＧＣ_ＧＩ）には、プログラム数（ＵＤ_ＰＧＣでは０）、このＰＧＣ内のセルサーチポインタ数が記述される。
【００５１】
ＰＧＣ情報テーブル（ＰＧＣＩＴ）には、プログラム情報（ＰＧＩ）が記述されるもので、プログラムが消去プロテクトされた状態であるか否かを示すプログラムタイプ（ＰＧ_ＴＹ）、このプログラム内のセルの数（Ｃ_Ｎｓ）、キャラクタセットを示すプライマリーテキスト情報（ＰＲＭ_ＴＥＸＴＩ）、このプログラムに対応するアイテムテキストサーチポインタの番号（ＩＴ_ＴＸＴ_ＳＲＰＮ）、セル番号、ピクチャーポイントを示す代表画像情報（ＲＥＰ_ＰＩＣＴＩ）がある。
【００５２】
セル情報サーチポインタ（ＣＩ_ＳＲＰＴ）には、セル情報（ＣＩ）のスタートアドレスが記述される。セル情報テーブルＣＩＴには、サーチポインタで指定されるセル情報（ＣＩ＃１〜ＣＩ＃ｊ）が記述されている。
【００５３】
セル情報（ＣＩ）は、セル一般情報（Ｃ_ＧＩ）、セルエントリーポイント情報（Ｃ_ＥＰＩ＃１〜Ｃ_ＥＰＩ＃ｋ）が記述されている。セル一般情報は、後述する。セルエントリーポイント情報（Ｃ_ＥＰＩ）は、タイプＡ、タイプＢが存在する。
【００５４】
タイプＡではエントリーポイントタイプ（タイプＡかＢか）の識別、エントリーポイントのプレゼンテーションタイム（ＥＰ_ＰＴＭ）が記述されている。プレゼンテーションタイム（ＥＰ_ＰＴＭ）は、エントリーポイントの再生時間を示している。具体的には、（ＥＰ_ＰＴＭ）は、対応するＶＯＢ内でプレゼンテーションタイムスタンプとして符号化されている、最初のビデオフィールドの再生開始時間、及び最後のビデオフィールドの再生時間を示している。タイプＢではタイプＡの情報に加えて、エントリーポイントにおけるプライマリーテキスト情報が存在する。
【００５５】
上記セル一般情報（Ｃ_ＧＩ）は、セルタイプ（Ｃ_ＴＹ）、当該セルが指定するＶＯＢに対応したＶＯＢＩのサーチポインタの番号（Ｍ_ＶＯＢ_ＳＲＰＮ）を有する。また、セルエントリーポイントの数（Ｃ_ＥＰＩ_Ｎｓ）、セルの再生開始時間（Ｃ_Ｖ_Ｓ_ＰＴＭ）、セルの再生終了時間（Ｃ_Ｖ_Ｅ_ＰＴＭ）を有する。
【００５６】
図６には、同じくＶＭＧファイルに記述されている情報を階層的に示し、特にムービーＡＶファイル情報テーブル（Ｍ_ＡＶＦＩＴ）を階層的に詳しく示している。
【００５７】
上記のＭ_ＡＶＦＩＴには、ムービーＡＶファイル情報テーブル情報（Ｍ_ＡＶＦＩＴＩ）、ムービーＶＯＢストリーム情報（Ｍ_ＶＯＢ_ＳＴＩ＃ｎ）（ｎ＝１〜ｎ），ムービーＡＶファイル情報（Ｍ_ＡＶＦＩ）が記述されている。
【００５８】
ムービーＡＶファイル情報（Ｍ_ＡＶＦＩ）について説明する。
【００５９】
ムービーＡＶファイル情報（Ｍ_ＡＶＦＩ）には、Ｍ_ＡＶＦＩ一般情報（Ｍ_ＡＶＦＩ_ＧＩ）、Ｍ_ＶＯＢ情報サーチポインタ（Ｍ_ＶＯＢＩ_ＳＲＰ＃ｎ）、ムービービデオ情報（Ｍ_ＶＯＢＩ＃ｎ）が記述されている。
【００６０】
Ｍ_ＡＶＦＩ一般情報には、Ｍ_ＶＯＢサーチポインタの数、Ｍ_ＶＯＢ情報の開始アドレスが記述されている。
【００６１】
Ｍ_ＶＯＢ情報＃ｎには、当該Ｍ_ＶＯＢの一般情報（Ｍ_ＶＯＢ_ＧＩ）、シームレス情報（ＳＭＬＩ）、オーディオギャツプ情報（ＡＧＡＰＩ）、タイムマップ情報（ＴＭＡＰＩ）が記述されている。
【００６２】
Ｍ_ＶＯＢ_ＧＩには、このＶＯＢが通常の状態であるのか、仮消去された状態であるのかを示すＶＯＢタイプ、又オーディオストリームは、このＶＯＢが作成されたときにオリジナルとして記録されたものであるのか、あるいは部分的或は全体的に修正されたものであるのかを示すオーディオステータス、が記述されている。
【００６３】
またＭ_ＶＯＢ_ＧＩには、このＶＯＢの記録時間、サブで分の時間が記録される。さらにまたこのＭ_ＶＯＢ_ＧＩには、Ｍ_ＶＯＢのストリーム情報番号、このＶＯＢのビデオスタート時間、並びに終了時間、コピープロテクション情報が記述される。
【００６４】
次にムービービデオ情報（Ｍ_ＶＯＢＩ＃ｎ）について説明する。このＭ_ＶＯＢＩ＃ｎは、Ｍ_ＶＯＢＩ_ＳＲＰ＃ｎにより特定される。
【００６５】
ムービービデオ情報（Ｍ_ＶＯＢＩ＃ｎ）には、このＶＯＢが通常の状態であるのか、仮消去された状態であるのかを示すＶＯＢタイプ、又オーディオストリームは、このＶＯＢが作成されたときにオリジナルとして記録されたものであるのか、あるいは部分的或は全体的に修正されたものであるのかを示すオーディオステータス、が記述されている。
【００６６】
またＭ_ＶＯＢ_ＧＩには、このＶＯＢの記録時間、サブで分の時間が記録される。さらにまたこのＭ_ＶＯＢ_ＧＩには、Ｍ_ＶＯＢのストリーム情報番号、このＶＯＢのビデオスタート時間、並びに終了時間、コピープロテクション情報が記述される。
【００６７】
次に上記のタイムマップ情報（ＴＭＡＰＩ）について説明する。
【００６８】
ＴＭＡＰＩは、プレゼンテーションタイムをオフセットアドレスに変換するのに利用される。この情報は通常の再生のみならず特殊再生やタイムサーチのためにも活用すべき用意されている。
【００６９】
ＴＭＡＰＩは、タイムマップ一般情報（ＴＭＡＰ_ＧＩ）、タイムマップエントリーテーブル（ＴＭ_ＥＮＴ＃１〜＃ｎ）、このエントリー情報に対応するビデオオブジェクトエントリーテーブル（ＶＯＢＵ_ＥＮＴ＃１〜＃ｎ）で構成される。
【００７０】
各ＴＭ_ＥＮＴは、対応するＶＯＢＵのアドレス情報を含みタイムエントリーにより特定された再生時間とＶＯＢＵの再生開始時間との時間差情報を含む。
【００７１】
各ＶＯＢＵ_ＥＮＴは、各ＶＯＢＵの再生時間及びサイズ情報を含む。ＶＯＢＵのサイズは、論理ブロックにより計測されており、再生時間はビデオフィールドにより計測されている。
【００７２】
ＴＭＡＰ_ＧＩは、タイムエントリー数（ＴＭ_ＥＮＴ_Ｎｓ）、ＶＯＢＵエントリー数（ＶＯＢＵ_ＥＮＴ_Ｎｓ）、タイムオフセット（ＴＭ_ＯＦＳ）、アドレスオフセット（ＡＤＲ_ＯＦＳ）を有する。
【００７３】
ＶＯＢＵ_ＥＮＴについて説明する。
【００７４】
ＶＯＢＵ_ＥＮＴは、このＶＯＢＵの第１の参照画像のアドレスを述べた（１ＳＴＲＥＦ_ＳＺ）と、このＶＯＢＵの再生時間を述べた（ＶＯＢＵ_ＰＢ_ＴＭ）と、このＶＯＢＵのサイズを述べた（ＶＯＢＵ_ＳＺ）で構成される。第1の参照画像は、ＶＯＢＵの先頭からのＩピクチャの最終アドレスであり、ＶＯＢＵ内のビデオを復号するのに最初に必要なデータのアドレスである。ＶＯＢＵの再生時間は、このＶＯＢＵ内のビデオフィールドの数で示されている。またＶＯＢＵのサイズは、このＶＯＢＵ内のパック数で示されている。
【００７５】
上記のＲＴＲ_ＶＭＧＩについて説明する。
【００７６】
このＲＴＲ_ＶＭＧＩは、大きく分けて２つの情報が含まれる。１つはＶＭＧＩ_ＭＡＴ（ビデオマネージャー情報マネジメントテーブル）であり、他の１つは、ＰＬ_ＳＲＰＴ（プレイリストサーチポインターテーブル）である。
【００７７】
ＶＭＧＩ_ＭＡＴには、このＶＭＧを識別するためのＶＭＧ識別子、ＶＭＧの終了位置を示す情報であるＲＴＲ_ＶＭＧ終了アドレス、このＶＭＧ情報の終了位置を示す情報であるＲＴＲ_ＶＭＧＩ終了アドレス、このブックのバージョン番号、このディスクに各種データが記録又は更新されたときの時間を示す情報であるタイムゾーン、スチルピクチャーのためのスチル時間、プライマリーテキストのためのキャラクタセットコード、ディスク再生中に一時停止され、次に再生を行なうのに必要な情報（プログラムチェーン番号など）を記述したレジュームマーク情報、ディスク代表画像を再生するために必要な情報を記述したディスクリプレゼンタティブピクチャー情報、このディスクの代表名を表示するためのキャラクタコードセットによる記述情報であるディスクリプレゼンタティブネームが記述されている。さらに、次に格納されているＭ_ＡＶＦＩＴのスタートアドレス、Ｓ_ＡＶＦＩＴのスタートアドレス、ＯＲＧ_ＰＧＣＩのスタートアドレス、ＵＤ_ＰＧＣＩのスタートアドレス、ＴＸＴＤＴ_ＭＧのスタートアドレス、ＭＮＦＩＴのスタートアドレスが記述されている。
【００７８】
ＰＬ_ＳＲＰＴは、プレイリストサーチポインタの数、及び各プレイリストのサーチポインタが記述されている。プレイリストは、プログラムの部分部分を示すリストであり、ユーザーにより再生順序を指定可能であり、後述するユーザー定義ＰＧＣにより定義されている。プレイリストサーチポインタには、再生される対象がムービー、スチルなどを識別するためのプレイリストタイプ、このポインタに対応するプログラムチェーン番号、プレイリストが作成された時間の各情報、プレイリストのためのプライマリーテキスト情報等が含まれている。
【００７９】
上記のように規格化されているディスクの記録再生装置について、再度図１に戻り説明する。
【００８０】
記録再生装置における再生処理は、ＰＧＣＩに従って行われ、このＰＧＣでは、複数のプログラムを指定することができ、このプログラムにはセルが定義されている。そしてセルにより再生すべき対象となるＶＯＢが指定されることになる。また、記録順に再生するための特別なＰＧＣをオリジナルＰＧＣと称し、このオリジナルＰＧＣの情報はＯＲＧ_ＰＧＣＩとして記録されている。さらに、このときのビデオデータの属性情報（解像度情報、アスペクト情報、音声属性情報など）は、ＶＭＧＩ内のＳＴＩに記録される。また、上記したパックは、データ転送処理を行なう最小単位である。さらに、論理上の処理を行なう最小単位はセル単位で、論理上の処理はこの単位で行わる。したがって、録画が行われるときは、上記のフォーマットに合致する形式に記録信号が変換さえる。
【００８１】
記録再生装置は、ハードディスクドライブ（ＨＤＤ）２００１、ディスクドライブ３５、エンコーダ部５０、デコーダ部６０、及びマイクロコンピュータブロック３０を主たる構成要素としている。ＨＤＤ２００１は、記録媒体としてのハードディスクを回転駆動するとともに、このハードディスクに対して情報を記録したり、このハードディスクに記録された情報を読み出したりする。ディスクドライブ３５は、記録媒体としての光ディスク１００１を回転駆動するとともに、この光ディスク１００１に対して情報を記録したり、この光ディスク１００１に記録された情報を読み出したりする。エンコーダ部５０は、ハードディスク及び光ディスク１００１に対して記録される情報をエンコードする。デコーダ部６０は、ハードディスク及び光ディスク１００１から読み出された情報をデコードする。マイクロコンピュータブロック３０は、記録再生装置全体の制御を司る。
【００８２】
エンコーダ部５０は、ＡＤＣ（アナログデジタルコンバータ）５２と、Ｖ(ビデオ)エンコーダと、Ａ（オーディオ）エンコーダと、ＳＰ（副映像）エンコーダを含むエンコーダ群５３と、各エンコーダの出力を所定のフォーマットにするフォーマッタ５６と、バッファメモリ５７とを備えている。
【００８３】
ＡＤＣ５２には、ＡＶ入力部４２からの外部アナログビデオ信号＋外部アナログオーディオ信号、あるいはＴＶ（テレビジョン）チューナ４４からのアナログビデオ信号＋アナログ音声信号が入力される。
【００８４】
ＡＤＣ５２は、入力されたアナログビデオ信号を、例えばサンプリング周波数１３．５ＭＨｚ、量子化ビット数８ビットでディジタル化する。すなわち、輝度成分Ｙ、色差成分Ｃｒ（またはＹ−Ｒ）、及び色差成分Ｃｂ（またはＹ−Ｂ）が、それぞれ８ビットで量子化されることになる。
【００８５】
同様に、ＡＤＣ５２は、入力されたアナログオーディオ信号を、例えばサンプリング周波数４８ｋＨｚ、量子化ビット数１６ビットでディジタル化する。
【００８６】
なお、ＡＤＣ５２にデジタルビデオ信号やデジタルオーディオ信号が入力されるときは、ＡＤＣ５２は、デジタルビデオ信号やデジタルオーディオ信号をスルーパスさせる。そして、これらのデジタルビデオ信号及びデジタルオーディオ信号に対しても、内容は改変することなく、ジッタ低減処理やサンプリングレート変更処理等は行なってもよい。
【００８７】
ＡＤＣ５２から出力されたデジタルビデオ信号は、Ｖエンコーダを介してフォーマッタ５６に送られる。また、ＡＤＣ５２から出力されたデジタルオーディオ信号は、Ａエンコーダを介してフォーマッタ５６に送られる。
【００８８】
Ｖエンコーダは、入力されたデジタルビデオ信号を、ＭＰＥＧ２またはＭＰＥＧ１規格に基づいて、可変ビットレートで圧縮されたディジタル信号に変換する機能を持つ。また、Ａエンコーダは、入力されたデジタルオーディオ信号を、ＭＰＥＧまたはＡＣ−３規格に基づいて、固定ビットレートで圧縮されたディジタル信号またはリニアＰＣＭのディジタル信号に変換する機能を持つ。
【００８９】
副映像情報がＡＶ入力部４２から入力された場合（例えば副映像信号の独立出力端子付ＤＶＤビデオプレーヤからの信号）、あるいはこのようなデータ構成のＤＶＤビデオ信号が放送され、それがＴＶチューナ４４で受信された場合は、ＤＶＤビデオ信号中の副映像信号（副映像パック）が、ＳＰエンコーダに入力される。ＳＰエンコーダに入力された副映像信号は、所定の信号形態にアレンジされて、フォーマッタ５６に送られる。
【００９０】
フォーマッタ５６は、バッファメモリ５７をワークエリアとして使用しながら、入力されたビデオ信号、オーディオ信号、副映像信号等に対して所定の信号処理を行なうことにより、先に図３、図４で説明したようなフォーマット（ファイル構造）に合致した記録データをデータプロセッサ３６に出力する。
【００９１】
ここで、本装置は、エンコーダ部５０でエンコードされた情報、及び、作成された管理情報を、データプロセッサ３６を介してＨＤＤ２００１に供給し、ハードディスクに記録することができる。またハードディスクに記録された情報を、データプロセッサ３６、ディスクドライブ３５を介して光ディスク１００１に記録することもできる。さらにまた、エンコーダ部５０でエンコードされた情報、及び、作成された管理情報をデータプロセッサ３６、ディスクドライブ３５を介して、光ディスク１００１に記録することもできる。
【００９２】
また、本発明は、ＨＤＤ２００１のハードディスクに記録されている情報が、光ディスク１００１のデータフォーマットと同じである場合、ハードディスクの情報を光ディスクにエンコード処理無く記録することができる。
【００９３】
また、ＨＤＤ２００１のハードディスクに記録されている情報が、光ディスク１００１のデータフォーマットと異なる場合は、ハードディスクから読み出した情報をエンコーダ部５０でエンコードする。そしてエンコードされた情報を光ディスク１００１に記録することができる。
【００９４】
ここで、上記光ディスク１００１への記録データを作成するための標準的なエンコード処理内容を簡単に説明しておく。すなわち、エンコーダ部５０において、エンコード処理が開始されると、ビデオ（主映像）データ及びオーディオデータをエンコード処理するにあたって必要なパラメータが設定される。
【００９５】
次に、設定されたパラメータを利用して主映像データがプリエンコード処理されることにより、設定された平均転送レート（記録レート）に最適な符号量の分配が計算される。プリエンコード処理で得られた符号量分配に基づき、主映像データのエンコード処理が実行される。このとき、オーディオデータのエンコード処理も同時に実行される。同様に、副映像データをエンコード処理するに必要なパラメータが設定され、エンコード処理された副映像データが作成される。
【００９６】
エンコード処理された主映像データ、オーディオデータ及び副映像データが組み合わされて、ビデオオブジェクトセットＶＯＢＳの構造に変換される。
【００９７】
すなわち、主映像データ（ビデオデータ）の最小単位としてセルが設定され、図５で説明したようなセル情報が作成される。次に、プログラムチェーンＰＧＣを構成するセルの構成や、主映像、副映像及びオーディオの属性等が設定され（これらの属性情報の一部は、各データをエンコードするときに得られた情報が利用される）、ここに、種々の情報を含めたＶＭＧファイルが作成される。
【００９８】
エンコード処理された主映像データ、オーディオデータ及び副映像データは、一定サイズ（２０４８バイト）のパック（図３）に細分化される。これらのパックには、ダミーパックが適宜挿入される。なお、ダミーパック以外のパック内には、適宜、再生時刻を示すＰＴＳ（プレゼンテーションタイムスタンプ）や、デコード時刻を示すＤＴＳ（デコーディングタイムスタンプ）等のタイムスタンプが記述される。副映像のＰＴＳについては、同じ再生時間帯の主映像データあるいはオーディオデータのＰＴＳより任意に遅延させた時間を記述することができる。
【００９９】
そして、各データのタイムコード順に再生可能なように、ビデオオブジェクトユニットＶＯＢＵ単位でその先頭にＲＤＩパック(ナビゲーションパックに相当)を配置しながら各セルが配置される。これにより、複数のセルで構成されるビデオオブジェクトＶＯＢが構成される。このビデオオブジェクトＶＯＢを１つ以上集めてなるビデオオブジェクトセットＶＯＢＳが、ムービービデオファイルに記録される。
【０１００】
なお、ＤＶＤビデオプレーヤからＤＶＤ再生信号をデジタルコピーする場合には、上記セル、プログラムチェーン、管理テーブル、タイムスタンプ等の内容は始めから決まっているので、これらを改めて作成する必要はない。ただし、ＤＶＤ再生信号をデジタルコピーできるようにＤＶＤビデオレコーダを構成する場合には、電子すかしやその他の著作権保護手段が講じられる必要がある。
【０１０１】
光ディスク１００１に対して、情報の読み書き（録画／再生）を実行する部分としては、光学系、駆動系を有するディスクドライブ３５と、データプロセッサ３６と、一時記憶部３７と、ＳＴＣ（システムタイムカウンターまたはシステムタイムクロック）３８とを備えている。
【０１０２】
一時記憶部３７は、データプロセッサ３６、ディスクドライブ３５を介して光ディスク１００１に書き込まれるデータ（エンコーダ部５０から出力されるデータ）のうちの一定量分をバッファリングしたり、ディスクドライブ３５、データプロセッサ３６を介して光ディスク１００１から再生されたデータ（デコーダ部６０に入力されるデータ）のうちの一定量分をバッファリングしたりするのに利用される。ディスクドライブ３５は、光ディスクに対する回転制御系、レーザ駆動系、光学系などを有する。
【０１０３】
例えば、一時記憶部３７が４Ｍｂｙｔｅｓの半導体メモリー（ＤＲＡＭ）で構成されるときは、平均４Ｍｂｐｓ（ビット・パー・セカンド）の記録レートでおよそ８秒分の記録または再生データのバッファリングが可能である。また、一時記憶部３７が１６ＭｂｙｔｅｓのＥＥＰ（エレクトリカリー・イレーザブル・アンド・プログラマブル）ＲＯＭ（フラッシュメモリ）で構成されるときは、平均４Ｍｂｐｓの記録レートでおよそ３０秒の記録または再生データのバッファリングが可能である。
【０１０４】
さらに、一時記憶部３７が１００Ｍｂｙｔｅｓの超小型ハードディスクドライブで構成されるときは、平均４Ｍｂｐｓの記録レートで３分以上の記録または再生データのバッファリングが可能となる。
【０１０５】
一時記憶部３７は、録画途中で光ディスク１００１を使い切ってしまった場合において、光ディスク１００１が新しいディスクに交換されるまでの短時間の録画情報を一時記憶しておくことにも利用できる。
【０１０６】
しかし、本装置では、大きな容量を持つＨＤＤ２００１が設けられているので、この装置を活用することができる。
【０１０７】
また、一時記憶部３７は、ディスクドライブ３５として高速ドライブ（２倍速以上）を採用した場合において、一定時間内に通常ドライブより余分に読み出されたデータを一時記憶しておくことにも利用できる。再生時の読み取りデータを一時記憶部３７にバッファリングしておけば、振動ショック等で図示しない光ヘッドが読み取りエラーを起こしたときでも、一時記憶部３７にバッファリングされた再生データを切り替え使用することによって、再生映像が途切れないようにすることができる。
【０１０８】
データプロセッサ３６は、マイクロコンピュータブロック３０の制御にしたがって、エンコーダ部５０から出力されたＤＶＤ記録データをディスクドライブ３５に供給したり、光ディスク１００１から再生したＤＶＤ再生信号をディスクドライブ３５から取り込んだり、光ディスク１００１に記録された管理情報を書き替えたり、光ディスク１００１に記録されたデータ（ファイルあるいはビデオオブジェクト）の削除をしたりする。
【０１０９】
マイクロコンピュータブロック３０は、ＭＰＵ（マイクロプロセシングユニット）、またはＣＰＵ（セントラルプロセシングユニット）と、制御プログラム等が書き込まれたＲＯＭと、プログラム実行に必要なワークエリアを提供するためのＲＡＭとを含んでいる。
【０１１０】
マイクロコンピュータブロック３０のＭＰＵは、そのＲＯＭに格納された制御プログラムにしたがい、ＲＡＭをワークエリアとして用いて、欠陥場所検出、未記録領域検出、録画情報記録位置設定、ＵＤＦ記録、ＡＶアドレス設定等を実行する。
【０１１１】
また、マイクロコンピュータブロック３０は、システム全体を制御するために必要な情報処理部を有するもので、コピー情報検知・設定部、ディレクトリー検知部、ＶＭＧ管理情報作成部を備える。
【０１１２】
ＭＰＵの実行結果のうち、ディスクドライブ３５のユーザーに通知すべき内容は、ＤＶＤビデオレコーダの表示部４８に表示されるか、またはモニタディスプレイにＯＳＤ（オンスクリーンディスプレイ）表示される。
【０１１３】
なお、マイクロコンピュータブロック３０が、ディスクドライブ３６、データプロセッサ３６、エンコーダ部５０、及びデコーダ部６０等を制御するタイミングは、ＳＴＣ３８からの時間データに基づいて、実行することができる。録画や再生の動作は、通常はＳＴＣ３８からのタイムクロックに同期して実行されるが、それ以外の処理は、ＳＴＣ３８とは独立したタイミングで実行されてもよい。
【０１１４】
デコーダ部６０は、図３に示したようなパック構造を持つ映像情報から各パックを分離して取り出すセパレータ６２と、パック分離やその他の信号処理実行時に使用するメモリ６３と、セパレータ６２で分離された主映像データ（ビデオパックの内容）をデコードするＶデコーダと、セパレータ６２で分離された副映像データ（副映像パックの内容）をデコードするＳＰデコーダと、セパレータ６２で分離されたオーディオデータ（オーディオパックの内容）をデコードするＡデコーダによるデコーダ群６４と、Ｖデコーダから得られる主映像データにＳＰデコーダから得られる副映像データを適宜合成し、主映像にメニュー、ハイライトボタン、字幕やその他の副映像を重ねて出力するビデオプロセッサ６６を備えている。
【０１１５】
ビデオプロセッサ６６の出力は、ビデオミクサー７１に入力される。ビデオミクサー７１では、テキストデータの合成が行われる。またビデオミクサー７１には、また、ＴＶチューナ４４やＡ／Ｖ入力部４２からの信号を直接取り込むラインも接続されている。ビデオミクサー７１には、バッファとして用いるフレームメモリ７２が接続されている。ビデオミクサー７１の出力がディジタル出力の場合は、インターフェース（Ｉ／Ｆ）７３を介して外部へ出力され、アナログ出力の場合は、ＤＡＣ７４を介して外部へ出力される。
【０１１６】
Ａデコーダの出力がディジタル出力の場合は、インターフェース（Ｉ／Ｆ）７５を介して外部へ出力され、アナログ出力の場合は、セレクタ７６を介してＤＡＣ７７でアナログ変換され外部に出力される。セレクタ７６は、マイクロコンピュータブロック３０からのセレクト信号により、ＴＶチューナ４４やＡ／Ｖ入力部４２からの信号を直接モニタするとき、ＡＤＣ５２からの出力を選択することも可能である。アナログオーディオ信号は、図示しない外部コンポーネント（２チャンネル〜６チャンネルのマルチチャンネルステレオ装置）に供給される。
【０１１７】
上記装置において、ビデオ信号の流れを簡単に説明すると、以下のようになる。
【０１１８】
まず、入力されたＡＶ信号はＡＤＣ５２でディジタル変換される。ビデオ信号はＶエンコーダへ、オーディオ信号はＡエンコーダへ、文字放送などの文字データはＳＰエンコーダへ入力される。ビデオ信号はＭＰＥＧ圧縮され、オーディオ信号はＡＣ３圧縮またはＭＰＥＧオーディオ圧縮がなされ、文字データはランレングス圧縮される。
【０１１９】
各エンコーダからの圧縮データは、パック化された場合に２０４８バイトになるようにパケット化されて、フォーマッタ５６へ入力される。フォーマッタ５６では、各パケットがパック化され、さらに、多重化され、データプロセッサ３６へ送られる。
【０１２０】
ここで、フォーマッタ５６は、アスペクト情報検出部４３からの情報を元に、ＲＤＩパックを作成し、ビデオオブジェクトユニット（ＶＯＢＵ）の先頭に配置する。
【０１２１】
データプロセッサ３６は、１６パック毎にＥＣＣブロックを形成し、エラー訂正データを付け、その出力をディスクドライブ３５を介して光ディスク１００１へ記録する。
【０１２２】
ここで、ディスクドライブ３５がシーク中やトラックジャンプなどの場合のため、ビジィー状態の場合には、一時記憶部３７（例えばＨＤＤバッファ部）へ入れられ、ＤＶＤ−ＲＡＭドライブ部（ディスクドライブ３５）の準備ができるまで待つこととなる。
【０１２３】
さらに、フォーマッタ５６では、録画中、各切り分け情報を作成し、定期的にマイクロコンピュータブロック３０のＭＰＵへ送る（ＧＯＰ先頭割り込み時などの情報）。
【０１２４】
切り分け情報としては、ＶＯＢＵのパック数、ＶＯＢＵ先頭からのＩピクチャのエンドアドレス、ＶＯＢＵの再生時間などである。
【０１２５】
同時に、アスペクト情報検出部４３からの情報を録画開始時にＭＰＵへ送り、ＭＰＵはＶＯＢストリーム情報（ＳＴＩ）を作成する。ここで、ＳＴＩは、解像度データ、アスペクトデータなどを保存し、再生時、各デコーダ部はこの情報を元に初期設定を行われる。
【０１２６】
また、ＤＶＤ−ＲＡＭでは、ビデオファイルは１ディスクに１ファイルとしている。
【０１２７】
ここで、ＤＶＤを利用した記録再生装置において、注意すべき点は、データをアクセスする場合において、そのアクセス（シーク）している間に、とぎれないで再生を続けるために、最低限連続するセクタが必要になってくる。この単位をＣＤＡ（コンティニュアス・データ・エリア）という。
【０１２８】
このＣＤＡは、ＥＣＣブロック単位となっている方が有利である。そのため、ＣＤＡサイズは１６の倍数にし、ファイルシステムでは、このＣＤＡ単位で記録を行っている。ただし、この場合、ディスク内にうまくＣＤＡの大きさの空き領域がない場合などは、別のファイルが使用している短いセクタが、ＣＤＡ内に入り込むことも許している。これにより、ＣＤＡ単位で記録することができる。
【０１２９】
本装置は、タイムスリップ（ＴＳ）機能を備えている。このために、ＨＤＤ２００１が有効に活用される。つまり、Ａ／Ｖ入力部あるいはＴＶチューナからオンエアー中の情報を、ＨＤＤ２００１でハードディスクに記録する。この記録を継続しながら、記録済みの情報を読出し、デコードしてモニタすることができる。あるいは、ハードディスクから読出した情報を、光ディスク１００１に記録することが可能である。また記録済みの情報をデコードしてモニタすると同時に、モニタしている情報をハードディスクに記録することも可能である。
【０１３０】
ＨＤＤ２００１は、記録再生装置に内蔵されており、光ディスク１００１は、リムーバブルであり、ユーザーが自由に交換することが可能である。
【０１３１】
上記説明した記録再生装置では、ＤＶＤメディアの記録可能時間が少ないために、異なる形式のメディアとハイブリッド方式で使用される。たとえばコンピュータ用のＨＤＤでは２０ＧＢｙｔｅｓから４０ＧＢｙｔｅｓという大容量のものが一般的である。このようなＨＤＤを用いれば、現在のＶＨＳ方式ＶＴＲ以上の録画可能時間を実現できる。また、この記録再生装置は、先に説明したように、メディアの特徴をいかしたタイムスリップ機能を有している。この機能は、ある映画等の情報を録画しながら既に録画された情報を再生できる機能であり、上記ＶＨＳ方式などのアナログＶＴＲはもとより、Ｄ−ＶＨＳなどのディジタルＶＴＲでも実現できなかったものである。よって、この記録再生装置では、”録画”、”再生”、”タイムスリップ”という３種類の動作状態が存在する。またこのようなハイブリッド方式の記録再生装置では、光ディスク及びハードディスクのうちの、どちらのメディアに録画させれば良いかをユーザーに示すために、メディア残量表示機能を持つ。それと同時に、録画する際のビットレート（記録レート）が重要であり、ビットレートをユーザーにわかりやすく示すために、バーグラフ表示を行う。
【０１３２】
このような複雑な動作の記録再生装置を操作するには、多くの情報が必要である。そのために多くの情報を一つの表示部に表示することは、煩雑で非常に見づらい結果を生む。そのため、記録再生装置の一部の機種では、十分な情報を表示できないものも見うけられる。この発明の記録再生装置は、シンプルな表示部であって、多くの情報を表示することができる。
【０１３３】
図７〜図９は、この発明に係る記録再生装置の表示部４８の表示画面を説明するための図である。表示部４８は、２層型蛍光表示管で構成されており、各層に所定の情報を表示することにより立体的な表示が可能となる。また、単一層だけに所定の情報を表示することもでき、実質的に表示エリアを２倍にすることができる。図７は、表示部４８の表面パターンの一例を示す図である。図８は、表示部４８の背面パターンの一例を示す図である。図９は、表面パターン及び背面パターンを重ねた状態を示す図である。
【０１３４】
図７に示すように、表示部４８の表面パターンには、タイトル／チャプター表示部Ｄ１、アルファニューメリック表示部Ｄ２、及びビットレート／残量表示部Ｄ３等が設けられている。
【０１３５】
タイトル／チャプター表示部Ｄ１は、ＤＶＤ又はハードディスクに記録された映画等の情報が再生されるタイミングで、再生される情報に対応するタイトル又はチャプターを表示する。また、タイトル／チャプター表示部Ｄ１は、ＴＶ視聴時にはＣＨ番号を表示し、外部入力視聴時には外部入力端子の番号を表示する。
【０１３６】
アルファニューメリック表示部Ｄ２は、映画等の再生中には再生の経過時間を時、分、秒の６桁で表示し、記録中には記録の経過時間を時、分、秒の６桁で表示する。このアルファニューメリック表示部Ｄ２は、アルファベットを表示することができ、アルファベットにより各種メッセージを表示することもできる。
【０１３７】
ビットレート／残量表示部Ｄ３は、二桁の数字を表示することができ、例えばＤＶＤ−ＲＡＭ及びハードディスクに対するビットレート（記録レート）、並びにＤＶＤ−ＲＡＭ及びハードディスクの残量を表示する。初期の状態ではビットレートの設定値を表示し、残量表示モードに切り替えられると残量をパーセント表示する。
【０１３８】
図８に示すように、表示部４８の背面パターンには、コピー／移動表示部Ｄ４、残量表示部Ｄ５、ＤＶＤメディア表示部Ｄ６、ＨＤＤメディア表示部Ｄ７、メディアフォーマット表示部Ｄ８、ビットレート表示部Ｄ９、及びオーディオレベル表示部Ｄ１０等が設けられている。
【０１３９】
コピー／移動表示部Ｄ４は、ＤＶＤに記録された情報をハードディスクにコピーする処理、ＤＶＤに記録された情報をハードディスクに移動する処理、ハードディスクに記録された情報をＤＶＤにコピーする処理、及びハードディスクに記録された情報をＤＶＤに移動する処理を表示する。コピーのときにはコピーである旨を表示し、移動のときは移動である旨を表示する。さらに、ＤＶＤからハードディスクへのコピー／移動なのか、ハードディスクからＤＶＤへのコピー／移動なのかを矢印等で表示する。
【０１４０】
残量表示部Ｄ５は、残量表示モードを示す。
【０１４１】
ＤＶＤメディア表示部Ｄ６は、次のようにして、ＤＶＤに対する記録再生の動作状態を表示する。つまり、ＤＶＤをイメージしたイメージＤＶＤを表示し、ＤＶＤに対して情報が記録されるときには、イメージＤＶＤの外周に沿って配置された第１の色（例えば赤色）に発光する複数のセグメントからなる第１のセグメント群を順次発光させて、ＤＶＤに情報が記録されるイメージを表示する。また、ＤＶＤから情報が再生されるときには、イメージＤＶＤの外周に沿って配置された第２の色（例えば白色）に発光する複数のセグメントからなる第２のセグメント群を順次発光させて、ＤＶＤから情報が再生されるイメージを表示する。さらに、ＤＶＤに対して情報が記録されるとともにこのＤＶＤから情報が再生されるときには、イメージＤＶＤの外周に沿って配置された第１のセグメント群を順次発光させるとともに第２のセグメント群も順次発光させて、ＤＶＤに情報が記録されつつＤＶＤから情報が再生されるイメージを表示する。図８に示すイメージＤＶＤの最外周は再生、録画などの記録再生の動作状態を示し、２周目は残量表示、最内周はＤＶＤの有無を示す。２周目の残量表示を示したものが、図１７のＳ１５〜Ｓ３４である。つまり、ＤＶＤ残量変化をイメージＤＶＤの満ち欠けでイメージ的に表示する。
【０１４２】
また、ＤＶＤに対する所望情報の予約記録が指示されたときであって、ＤＶＤに対して前記所望情報が記録不可であり、且つハードディスクに対して前記所望情報が記録可能な場合には、ＤＶＤに対して記録不可であることを示すとともに、代わりにハードディスクに記録可能であることを表示する。その手法としては、例えば、イメージＤＶＤを点滅表示し、イメージハードディスクを強調表示する。このような表示により、ユーザは、ＤＶＤには記録できないが（記憶容量の空きが少ない等の理由で）、代わりにハードディスクに記録できるということを知ることができる。さらに、ＤＶＤに対する予約記録が完了すると、これに対応してＤＶＤに予約記録が設定されたことを示す情報、例えば「ＲＥＳＥＲＶＥ」が表示される。
【０１４３】
ＨＤＤメディア表示部Ｄ７は、次のようにして、ハードディスクに対する記録再生動作状態を表示する。つまり、ハードディスクをメージしたイメージハードディスクを表示し、ハードディスクに対して情報が記録されるときには、イメージハードディスクの外周に沿って配置された第１の色（例えば赤色）に発光する複数のセグメントからなる第１のセグメント群を順次発光させて、ハードディスクに情報が記録されるイメージを表示する。また、ハードディスクから情報が再生されるときには、イメージハードディスクの外周に沿って配置された第２の色（例えば白色）に発光する複数のセグメントからなる第２のセグメント群を順次発光させて、ハードディスクから情報が再生されるイメージを表示する。さらに、ハードディスクに対して情報が記録されるとともにこのハードディスクから情報が再生されるときには、イメージハードディスクの外周に沿って配置された第１のセグメント群を順次発光させるとともに第２のセグメント群も順次発光させて、ハードディスクに情報が記録されつつハードディスクから情報が再生されるイメージを表示する。図８に示すイメージハードディスクの最外周は再生、録画などの記録再生の動作状態を示し、２周目は残量表示である。２周目の残量表示を示したものが、図１７のＳ１５〜Ｓ３４である。つまり、ハードディスク残量変化をイメージハードディスクの満ち欠けでイメージ的に表示する。また、ハードディスクに対する所望情報の予約記録が指示されたときであって、ハードディスクに対して前記所望情報が記録不可であり、且つＤＶＤに対して前記所望情報が記録可能な場合には、ハードディスクに対して記録不可であることを示すとともに、代わりにＤＶＤに記録可能であることを表示する。その手法としては、例えば、イメージハードディスクを点滅表示し、イメージＤＶＤを強調表示する。このような表示により、ユーザは、ハードディスクには記録できないが（記憶容量の空きが少ない等の理由で）、代わりにＤＶＤに記録できるということを知ることができる。さらに、ハードディスクに対する予約記録が完了すると、これに対応してハードディスクに予約記録が設定されたことを示す情報、例えば「ＲＥＳＥＲＶＥ」が表示される。
【０１４４】
なお、図１５及び図１７に示すように、ＤＶＤに対する記録動作処理を表示する第１のセグメント群は、１３Ｇ／Ｓ１、１３Ｇ／Ｓ３、１３Ｇ／Ｓ５、１３Ｇ／Ｓ７、１３Ｇ／Ｓ９、１３Ｇ／Ｓ１１、１３Ｇ／Ｓ１３である。ＤＶＤに対する再生動作処理を表示する第２のセグメント群は、１３Ｇ／Ｓ２、１３Ｇ／Ｓ４、１３Ｇ／Ｓ６、１３Ｇ／Ｓ８、１３Ｇ／Ｓ１０、１３Ｇ／Ｓ１２、１３Ｇ／Ｓ１４である。ハードディスクに対する記録動作処理を表示する第１のセグメント群は、１５Ｇ／Ｓ１、１５Ｇ／Ｓ３、１５Ｇ／Ｓ５、１５Ｇ／Ｓ７、１５Ｇ／Ｓ９、１５Ｇ／Ｓ１１、１５Ｇ／Ｓ１３である。ハードディスクに対する再生動作処理を表示する第２のセグメント群は、１５Ｇ／Ｓ２、１５Ｇ／Ｓ４、１５Ｇ／Ｓ６、１５Ｇ／Ｓ８、１５Ｇ／Ｓ１０、１５Ｇ／Ｓ１２、１５Ｇ／Ｓ１４である。
【０１４５】
メディアフォーマット表示部Ｄ８は、ＤＶＤ及びハードディスク等のメディアごとの論理フォーマットを示す。
【０１４６】
ビットレート表示部Ｄ９は、映像ビットレート表示部である。可変ビットレートの場合はバー表示をダイナミックに変化させる。
【０１４７】
オーディオレベル表示部Ｄ１０は、オーディオレベルを表示する。例えば、オーディオレベルをダイナミックにバーグラフ表示する。
【０１４８】
上記説明した背面パターンの上に表面パターンを重ねることにより、各種情報を立体的に表示することができる。例えば、ビットレート表示部Ｄ９によるビットレートの表示の上に、タイトル／チャプター表示部Ｄ１によるタイトル及びチャプターの表示を重ねることができる。また、オーディオレベル表示部Ｄ１０によるオーディオレベルの表示の上に、アルファニューメリック表示部Ｄ２による記録再生経過時間の表示を重ねることができる。
【０１４９】
図１０は、２層型蛍光表示管ドライブの概略構成を示すブロック図である。図１０に示すように、２層型蛍光表示管ドライブは、リモコン信号受光部Ｄ１１、マイコンＤ１２、２層型蛍光表示管Ｄ１３、表示管ドライバＤ１４、表示管メモリーＤ１５、電源スイッチＤ１６、ＬＥＤＤ１７、及びＤＣ／ＡＣコンバータＤ１８を備えている。
【０１５０】
図１１は、記録再生装置をコントロールするリモコンの一例を示す概観図である。図１１に示すように、リモコンは、ＤＶＤ選択キーＫ１、ＨＤＤ選択キーＫ２、タイムスリップキーＫ３、再生キーＫ４、停止キーＫ５、一時停止キーＫ６、録画キーＫ７、残量表示キーＫ８、及びコピー／移動キーＫ９等を備えている。
【０１５１】
ここで、リモコン操作に対応した表示部の表示について説明する。
【０１５２】
リモコンから送信された信号はリモコン受光部Ｄ１１に入り、電気信号に変換される。この電気信号はマイコンＤ２に送られ、コードを解析された後に、操作命令に変換される。マイコンＤ２では、この操作命令を用いて各種処理を行う。それと同時に蛍光表示管Ｄ１３に対して、処理により変化した表示データを送る。表示管ドライバＤ１４は、蛍光表示管Ｄ１３の所定のセグメントだけを点灯させるための表示メモリーＤ１５を有する。そのため、マイコンＤ１２から表示管ドライバＤ１４に送られるデータは、変化した部分の差分だけで良い。例えば、再生状態から停止状態に変わる場合、蛍光表示管Ｄ１３の円盤状表示部（ＤＶＤをイメージしたイメージＤＶＤ、ハードディスクをイメージしたイメージハードディスク）の最外周のセグメントを消灯する。よって、対応するメモリーＤ１５上のビットを１から０に書き換えることで、蛍光表示管Ｄ１３の表示を変更できる。電源スイッチＤ１６は、記録再生装置の電源をオン／オフする。オン状態ではＬＥＤＤ１７が点灯し、オン状態であることをユーザーに知らしめる。ＤＣ／ＡＣコンバータＤ１８は、蛍光表示管Ｄ１３にＡＣ電源を供給する。
【０１５３】
以下、記録再生装置に対する操作と、この記録再生装置の表示部に対する表示方法について詳しく説明する。
【０１５４】
ＤＶＤ選択キーＫ１、ＨＤＤ選択キーＫ２、もしくはタイムスリップキーＫ３の押下に対応して、操作するメディアが選択される。ＤＶＤ選択キーＫ１が押されると、その後の操作はＤＶＤ装置に対するものとして認識される。ＨＤＤ選択キーＫ２が押されると、その後の操作はＨＤＤ装置に対するものとして認識される。初期操作ではＨＤＤ装置が選択されているが、その後は電源をオフしても、過去に選択されたメディアが記憶されている。タイムスリップキーＫ３が押された場合は現在選択されている装置でタイムスリップ動作を行う。残量表示キーＫ８が押されると、残量表示モードとなる。
【０１５５】
図１２は、図７に示す表面パターンに対応した表示管の配置を示す図である。図１３は、図７に示す表面パターンにおける特定情報（数字）を表示するための表示管の配置を示す図である。図１４は、図７に示す表面パターンにおける特定情報（数字及びアルファベット）を表示するための表示管の配置を示す図である。図１５は、図８に示す背面パターンに対応した表示管の配置を示す図である。図１６は、図８に示す背面パターンにおける特定情報（イメージＤＶＤ及びイメージハードディスクを構成する最内周）表示のための表示管の配置を示す図である。図１７は、図８に示す背面パターンにおける特定情報（イメージＤＶＤ及びイメージハードディスクを構成する最外周と２周目）表示のための表示管の配置を示す図である。図１８は、図８に示す背面パターンにおける特定情報（ＤＶＤからハードディスク、ハードディスクからＤＶＤへのコピー及び移動）表示のための表示管の配置を示す図である。図１９は、図８に示す背面パターンにおける特定情報（オーディオレベル）表示のための表示管の配置を示す図である。図２０は、図８に示す背面パターンにおける特定情報（数字）表示のための表示管の配置を示す図である。
【０１５６】
表示管は、グリッド（Ｇ）ごとに時分割で点灯されるが、一度に点灯できるセグメント数は３５個であり、図２１のＰ１〜Ｐ３５に示される。図２１に示すデータはそのまま表示メモリーＤ１５に格納される。例えば“ＤＶＤ”というセグメントを点灯させるにはＧ１４のＰ２８に対応するメモリーのビットを“１”とすれば良く、消灯するには“０”とすれば良い。以下、各操作による表示セグメントの点灯方法をフローチャートで説明する。
【０１５７】
この発明の記録再生装置は、ＤＶＤ及びハードディスクを記録メディアとすることができる。これに伴い、どちらのメディアに対する操作を行うか初めに決定しておく必要がある。
【０１５８】
例えば、ＤＶＤ選択キーＫ３が押されるとＤＶＤモードに移行し、ＤＶＤをイメージしたイメージＤＶＤ（円盤状のセグメント）、つまりＤＶＤメディア表示部Ｄ６を点灯する。同時に１４Ｇにある、“ＤＶＤ”という形状のセグメント（以下、１４Ｇ／ＤＶＤと略す）を点灯する。次に円盤状セグメントの手前に表示されるビットレート／残量表示部Ｄ３を点灯する。例えば、ビットレートが４．５Ｍｂｐｓの場合、８Ｇの２桁の７セグメントと間のドットセグメントを使って“４．５”という表示を行う。
【０１５９】
図２２は、再生動作時のセグメント点灯シーケンスを示すフローチャートである。図２９は、ＤＶＤモードにおける再生動作時のセグメント点灯例を示す図である。
【０１６０】
再生キーＫ４が押され再生モードに移行し、ＤＶＤが選択された場合（ＤＶＤモード）、ＤＶＤメディア表示部Ｄ６の円盤状セグメントの最外周の白色セグメントを順に時計回りに点灯し、再生状態をグラフィカルに表す。この時、同時に１２Ｇのビットレート表示部Ｄ９にビデオビットレートの瞬時値をバーグラフで表示する。バーグラフはリニア表示で、Ｂ１が約０Ｍｂｐｓ、Ｂ２が約１Ｍｂｐｓ、Ｂ１１が約１０Ｍｂｐｓに相当する。これと同時にオーディオレベル表示部Ｄ１０を１１Gの各セグメントで行う。Ｂ１〜Ｂ１５が左チャンネルのオーディオレベル、Ｂ１６〜Ｂ３０が右チャンネルのオーディオレベルである。各バーグラフは対数表示であり、Ｂ１とＢ１６はほぼ−４０ｄＢ、Ｂ１５とＢ３０がほぼ＋１０ｄＢである。上記説明では、ＤＶＤモードについて説明したが、ＨＤＤが選択された場合（ＨＤＤモード）も同様に、ＨＤＤメディア表示部Ｄ７の円盤状セグメントの最外周の白色セグメントを順に時計回りに点灯し、再生状態をグラフィカルに表す。
【０１６１】
図２３は、録画動作時のセグメント点灯シーケンスを示すフローチャートである。図３０は、ＨＤＤモードにおける記録動作時のセグメント表示例を示す図である。
【０１６２】
停止状態で録画キーＫ７が押され録画モードに移行し、ＤＶＤが選択された場合（ＤＶＤモード）、バーグラフによるビットレート表示は行わず、オーディオレベル表示だけを行う。ＤＶＤが選択された録画モードでは、ＤＶＤメディア表示部６の円盤状セグメントの最外周の赤色セグメントを順に時計回りに点灯し、録画状態をグラフィカルに表す。上記説明では、ＤＶＤモードについて説明したが、ＨＤＤが選択された場合（ＨＤＤモード）も同様に、ＨＤＤメディア表示部Ｄ７の円盤状セグメントの最外周の赤色セグメントを順に時計回りに点灯し、再生状態をグラフィカルに表す。
【０１６３】
図２４は、タイムスリップ時のセグメント点灯シーケンスを示すフローチャートである。図３１は、ＨＤＤモードにおけるタイムスリップ時のセグメント表示例を示す図である。
【０１６４】
録画モード、あるいは停止状態でタイムスリップキーＫ３が押されると、タイムスリップモードに移行する。この時、録画ポインタと異なる再生ポインタを指定可能となり、録画中でも番組の先頭から再生することが可能である。タイムスリップモード時におけるビットレート表示とオーディオレベル表示は再生動作に関する値を表示する。タイムスリップモード移行後、ＤＶＤが選択された場合（ＤＶＤモード）、ＤＶＤメディア表示部６の円盤状セグメントの最外周の白色セグメントと赤色セグメントを同時に、１８０度離して時計回りに点灯させる。つまり、イメージＤＶＤを挟んで対称的な位置のセグメントを順次発光させる。上記説明では、ＤＶＤモードについて説明したが、ＨＤＤが選択された場合（ＨＤＤモード）も同様に、ＨＤＤメディア表示部Ｄ７の円盤状セグメントの最外周の白色セグメントと赤色セグメントを同時に、１８０度離して時計回りに点灯させる。つあり、イメージハードディスクを挟んで対称的な位置のセグメントを順次発光させる。
【０１６５】
図２５は、残量表示モード時のセグメント点灯シーケンスを示すフローチャートである。図３４は、残量表示モード時のセグメント表示例を示す図である。
【０１６６】
残量表示キーＫ８を押すことで残量表示モードとなり、表示部には再生モード、録画モードなどとは異なる情報を表示する。残量表示モードでは、ＤＶＤメディア表示部Ｄ６及びＨＤＤメディア表示部Ｄ７の円盤状セグメントの２周目の２０セグメントを用いて、メディアの残量を表示する。同時に円盤状セグメントの手前（前面）に表示されるビットレート／残量表示部Ｄ３の２桁の７セグメントにより、残量（％）を数値表示する。この時、残量が１００％の場合は７セグメントの全てを消灯する。残量が８０％になると、２桁の７セグメントに“８０”を、以下残量６０、４０、２０、１０、０％に減少した場合に２桁の７セグメントに“６０”、“４０”、“２０”、“１０”、“０”を表示する。
【０１６７】
図２６は、コピー／移動時のセグメント点灯シーケンスを示すフローチャートである。図３２は、ＤＶＤからＨＤＤへのコピー時のセグメント表示例を示す図である。図３３は、ＨＤＤからＤＶＤへの移動時のセグメント表示例を示す図である。
【０１６８】
コピー／移動キーＫ９を押すとコピー／移動モードに移行する。この時、コピー制限の無い番組はコピーされ、コピー制限のある番組はその制限に従う。すなわち、コピー禁止である番組は移動動作を行い、コピー元、コピー先に同じ番組を残すことはできない。１回コピー可能である番組は、１回目だけコピー動作を行うが、その後コピー元もコピー先もコピー禁止に書き換えられ、２回目からは移動動作だけが可能である。次にコピー動作のセグメント点灯シーケンスについて説明する。現在の選択メディアがＨＤＤの場合、コピー元はＨＤＤ、コピー先はＤＶＤである。コピーの場合は１４Ｇ／ＣＯＰＹを点灯させる。同時に１４Ｇ／Ｓ１〜１４Ｇ／Ｓ９を順に点灯し、ＨＤＤからＤＶＤにデータが流れていく様子をグラフィカルに表示する。この時、ＨＤＤメディア表示部Ｄ７の円盤状セグメントは再生モードと同じ表示を行い、ＤＶＤメディア表示部Ｄ６の円盤状セグメントは録画モードと同じ表示を行う。
【０１６９】
図２７は、ＤＶＤモードにおけるフォーマット表示時のセグメント点灯シーケンスを示すフローチャートである。
【０１７０】
ＤＶＤ選択キーＫ３を押すとＤＶＤモードに移行し、１３Ｇ／Ｓ３５、Ｓ１５〜Ｓ３４が点灯し、１４Ｇ／ＤＶＤが点灯する。装填されているＤＶＤの種別が、ＤＶＤ−ＲＡＭに該当するときには、１４Ｇ／ＲＡＭが点灯する。装填されているＤＶＤの種別が、ＤＶＤ−ＲＷに該当するときには、１４Ｇ／ＲＷが点灯する。
【０１７１】
図２８は、ＨＤＤモードにおけるフォーマット表示時のセグメント点灯シーケンスを示すフローチャートである。
【０１７２】
ＨＤＤ選択キーＫ２を押すとＨＤＤモードに移行し、１５Ｇ／Ｓ３５、Ｓ１５〜Ｓ３４が点灯し、１４Ｇ／ＨＤＤが点灯する。ＤＶＤ−ｖｉｄｅｏ  ｒｅｃｏｒｄｉｎｇ規格に従い、データを記録するときには、１４Ｇ／ＲＴＲが点灯する。
【０１７３】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【０１７４】
【発明の効果】
この発明によれば、複数の記録媒体に対する処理をユーザーに対して明確に伝えることが可能な記録再生装置を提供できる。
【図面の簡単な説明】
【図１】この発明の記録再生装置の一例を示すブロック図である。
【図２】ＤＶＤシステムのディレクトリー構造の一部を示す図である。
【図３】ＤＶＤ規格におけるビデオオブジェクトセット（ＶＯＢＳ）及びＭＰＥＧ規格におけるデータ構造と内容を示す図である。
【図４】ＲＤＩパックのデータ構造を示す図である。
【図５】ＤＶＤ規格におけるＶＭＧの階層構造で特にプログラムチェーンの階層構造を示す図である。
【図６】ＤＶＤ規格におけるＶＭＧの階層構造で特にＡＶファイル情報テーブルの階層構造を示す図である。
【図７】表示部の表面パターンの一例を示す図である。
【図８】表示部の背面パターンの一例を示す図である。
【図９】表面パターン及び背面パターンを重ねた状態を示す図である。
【図１０】２層型蛍光表示管ドライブの概略構成を示すブロック図である。
【図１１】記録再生装置をコントロールするリモコンの一例を示す概観図である。
【図１２】図７に示す表面パターンに対応した表示管の配置を示す図である。
【図１３】図７に示す表面パターンにおける特定情報（数字）を表示するための表示管の配置を示す図である。
【図１４】図７に示す表面パターンにおける特定情報（数字及びアルファベット）を表示するための表示管の配置を示す図である。
【図１５】図８に示す背面パターンに対応した表示管の配置を示す図である。
【図１６】図８に示す背面パターンにおける特定情報（イメージＤＶＤ及びイメージハードディスクを構成する最内周）表示のための表示管の配置を示す図である。
【図１７】図８に示す背面パターンにおける特定情報（イメージＤＶＤ及びイメージハードディスクを構成する最外周と２周目）表示のための表示管の配置を示す図である。
【図１８】図８に示す背面パターンにおける特定情報（ＤＶＤからハードディスク、ハードディスクからＤＶＤへのコピー及び移動）表示のための表示管の配置を示す図である。
【図１９】図８に示す背面パターンにおける特定情報（オーディオレベル）表示のための表示管の配置を示す図である。
【図２０】図８に示す背面パターンにおける特定情報（数字）表示のための表示管の配置を示す図である。
【図２１】表示管の各セグメントの管理データを示す図である。
【図２２】再生動作時のセグメント点灯シーケンスを示すフローチャートである。
【図２３】録画動作時のセグメント点灯シーケンスを示すフローチャートである。
【図２４】タイムスリップ時のセグメント点灯シーケンスを示すフローチャートである。
【図２５】残量表示モード時のセグメント点灯シーケンスを示すフローチャートである。
【図２６】コピー／移動時のセグメント点灯シーケンスを示すフローチャートである。
【図２７】ＤＶＤモードにおけるメディア種類表示時のセグメント点灯シーケンスを示すフローチャートである。
【図２８】ＨＤＤモードにおける記録フォーマット表示時のセグメント点灯シーケンスを示すフローチャートである。
【図２９】ＤＶＤモードにおける再生動作時のセグメント点灯例を示す図である。
【図３０】ＨＤＤモードにおける記録動作時のセグメント表示例を示す図である。
【図３１】ＨＤＤモードにおけるタイムスリップ時のセグメント表示例を示す図である。
【図３２】ＤＶＤからＨＤＤへのコピー時のセグメント表示例を示す図である。
【図３３】ＨＤＤからＤＶＤへの移動時のセグメント表示例を示す図である。
【図３４】残量表示モード時のセグメント表示例を示す図である。
【符号の説明】
３０…マイクロコンピュータブロック
３５…ディスクドライブ
３６…データプロセッサ
３７…一時記憶部
３８…ＳＴＣ
４８…表示部
５０…エンコーダ部
６０…デコーダ部
１００１…光ディスク（ＤＶＤ）
２００１…ハードディスクドライブ（ＨＤＤ）
Ｄ１…タイトル／チャプター表示部
Ｄ２…アルファニューメリック表示部
Ｄ３…ビットレート／残量表示部
Ｄ４…コピー／移動表示部
Ｄ５…残量表示部
Ｄ６…ＤＶＤメディア表示部
Ｄ７…ＨＤＤメディア表示部
Ｄ８…メディアフォーマット表示部
Ｄ９…ビットレート表示部
Ｄ１０…オーディオレベル表示部
【図１】
0003688573.tif 000002
【図２】
0003688573.tif 000003
【図３】
0003688573.tif 000004
【図４】
0003688573.tif 000005
【図５】
0003688573.tif 000006
【図６】
0003688573.tif 000007
【図７】
0003688573.tif 000008
【図８】
0003688573.tif 000009
【図９】
0003688573.tif 000010
【図１０】
0003688573.tif 000011
【図１１】
0003688573.tif 000012
【図１２】
0003688573.tif 000013
【図１３】
0003688573.tif 000014
【図１４】
0003688573.tif 000015
【図１５】
0003688573.tif 000016
【図１６】
0003688573.tif 000017
【図１７】
0003688573.tif 000018
【図１８】
0003688573.tif 000019
【図１９】
0003688573.tif 000020
【図２０】
0003688573.tif 000021
【図２１】
0003688573.tif 000022
【図２２】
0003688573.tif 000023
【図２３】
0003688573.tif 000024
【図２４】
0003688573.tif 000025
【図２５】
0003688573.tif 000026
【図２６】
0003688573.tif 000027
【図２７】
0003688573.tif 000028
【図２８】
0003688573.tif 000029
【図２９】
0003688573.tif 000030
【図３０】
0003688573.tif 000031
【図３１】
0003688573.tif 000032
【図３２】
0003688573.tif 000033
【図３３】
0003688573.tif 000034
【図３４】
0003688573.tif 000035